(57)【要約】【課題】  複数の入出力がある場合の操作性を向上させる。【解決手段】  第１記録メディアおよび第２記録メディアに記録される放送信号が、＃１チューナ１３−１によって受信された放送信号である場合、＃１チューナ１３−１によって受信された放送信号が表示出力されている場合には、メディア選択が＃１記録メディアであっても＃２記録メディアであっても、操作入力は受け付けられるが、＃２チューナ１３−２によって受信された放送信号が表示出力されている場合には、操作入力は受け付けられない。すなわち、同一の放送番組を異なる記録メディアに記録させる場合であっても、ユーザは、操作入力対象となる記録メディアを指定して操作入力を行うことができる。本発明は、録画装置に適用できる。【選択図】図４
2007073144.tif 000002
【特許請求の範囲】
【請求項１】
コンテンツを取得する複数の取得手段と、
ユーザの操作入力を受ける操作入力取得手段と、
複数の前記取得手段により取得された前記コンテンツの記録または外部出力を制御する複数の記録または外部出力制御手段と、
前記操作入力取得手段により取得された前記ユーザの操作入力を基に、複数の前記取得手段のうちのいずれかにより取得された前記コンテンツの表示を制御する表示制御手段と、
複数の前記取得手段により取得された前記コンテンツの、前記記録または外部出力制御手段および前記表示制御手段への供給を制御する供給制御手段と、
前記操作入力取得手段により取得されたユーザの操作入力を基に、前記記録または外部出力制御手段の選択状態を管理する選択状態管理手段と、
前記表示制御手段により表示が制御される前記コンテンツを取得した前記取得手段と、前記選択状態管理手段により選択状態が管理されている前記記録または外部出力制御手段に供給される前記コンテンツを取得した前記取得手段とが一致しているか否かを判断する判断手段と、
前記判断手段により前記取得手段が一致したと判断された場合、前記操作入力取得手段により取得された前記ユーザの操作入力を基に、前記記録または外部出力制御手段により実行される処理を制御する処理制御手段と
を備える情報処理装置。
【請求項２】
前記処理制御手段により制御される前記処理は、前記記録または外部出力制御手段により実行される記録または外部出力に関する処理である
請求項１に記載の情報処理装置。
【請求項３】
前記処理制御手段により制御される前記処理は、前記記録または外部出力制御手段により記録処理が実行されているとき、または外部出力処理が実行されているとき、これらの処理に対する指令の実行である
請求項１に記載の情報処理装置。
【請求項４】
前記記録または外部出力制御手段により実行される処理の状況に関する表示を前記コンテンツの表示に重畳させて表示させるための画像処理を実行する重畳処理手段をさらに備え、
前記重畳処理手段は、前記判断手段により前記取得手段が一致したと判断された場合、前記記録または外部出力制御手段により実行される処理の状況に関する表示を前記コンテンツの表示に重畳させて表示させるための画像処理を実行する
請求項１に記載の情報処理装置。
【請求項５】
コンテンツを記録するまたは外部出力する情報処理装置の情報処理方法において、
複数の取得部によりコンテンツを取得し、
ユーザの操作入力を受け、
前記ユーザの操作入力を基に、取得された前記コンテンツの表示部への表示を制御し、
前記ユーザの操作入力を基に、記録部または外部出力制御部の選択状態を管理し、
前記ユーザの操作入力を基に、前記記録部、前記外部出力制御部、または、前記表示部への、前記コンテンツの供給を制御し、
表示が制御されている前記コンテンツを取得した前記取得部と、選択状態が管理されている前記記録部または外部出力制御部に供給される前記コンテンツを取得した前記取得部とが一致しているか否かを判断し、
前記取得部が一致したと判断された場合、前記ユーザの操作入力を基に、前記記録部または前記外部出力制御部により実行される処理を制御する
ステップを含む情報処理方法。
【請求項６】
コンテンツを記録するまたは外部出力する処理をコンピュータに実行させるためのプログラムであって、
複数の取得部によりコンテンツを取得し、
ユーザの操作入力を受け、
前記ユーザの操作入力を基に、取得された前記コンテンツの表示部への表示を制御し、
前記ユーザの操作入力を基に、記録部または外部出力制御部の選択状態を管理し、
前記ユーザの操作入力を基に、前記記録部、前記外部出力制御部、または、前記表示部への、前記コンテンツの供給を制御し、
表示が制御されている前記コンテンツを取得した前記取得部と、選択状態が管理されている前記記録部または外部出力制御部に供給される前記コンテンツを取得した前記取得部とが一致しているか否かを判断し、
前記取得部が一致したと判断された場合、前記ユーザの操作入力を基に、前記記録部または前記外部出力制御部により実行される処理を制御する
ステップを含む処理をコンピュータに実行させるプログラム。
【請求項７】
請求項６に記載のプログラムが記録されている記録媒体。
【発明の詳細な説明】
【技術分野】
【０００１】
本発明は、情報処理装置および情報処理方法、プログラム、並びに、記録媒体に関し、特に、映像音声各種データ等の信号を記録する装置に用いて好適な情報処理装置および情報処理方法、プログラム、並びに、記録媒体に関する。
【背景技術】
【０００２】
従来、例えば、ライブ視聴用の放送信号を受信するチューナ以外に、ライブ視聴ではない通常録画を行うための録画用チューナが設けられている記録再生装置が用いられている（例えば、特許文献１）。
【０００３】
【特許文献１】特開２００５−７９９５４号公報
【０００４】
このような、複数の放送信号を受信可能な記録再生装置などにおいて、受信された複数の放送信号がそれぞれ記録可能なようになされていた場合、その記録処理に対するユーザの操作入力を受けたときの記録処理に対する制御方法は、例えば、複数受信された放送信号のうち、表示出力されている放送信号に対して全て有効になるように制御するか、または、録画系統を固定で一意に定め（例えば、記録媒体ごと、または、チューナごとに録画系統１、録画系統２・・・録画系統ｎなどと定め）、これらのうちのいずれかをユーザが選択し、選択された録画系統の録画処理に対して制御するようになされていた。
【発明の開示】
【発明が解決しようとする課題】
【０００５】
しかしながら、１つの録画装置が複数のチューナを有し、複数の記録メディアに受信した放送信号を記録させたり、外部出力することができる場合、入出力の数が増えるにしたがって、ユーザにとっては、いずれの記録または外部出力の動作に対して操作入力を行っているのかを認識することが困難となってしまう。
【０００６】
例えば、同じチューナで受信されている放送信号を、録画モードを変更するなどして、複数の記録メディアに記録している場合、従来のように、複数受信された放送信号のうち、表示出力されている放送信号に対して全て有効になるように制御するようになされていたならば、ユーザが複数の記録メディアのうちの所望のものだけを停止させようとしても、それぞれの記録メディアに記録されている放送番組は、全て同一であるので、ユーザは、正しく所望のものを選択して停止を指令することが困難である。
【０００７】
また、録画系統を固定で一意に定めるようにした場合においては、録画系統が少ないとき（例えば、２系統程度）であればインターフェースとして十分理解可能である。しかしながら、それ以上の複数録画が可能なようになされている場合、例えば、録画系統１とされたものが、複数チューナのうちのいずれのチューナによって受信されたものとあらかじめ定められたものか、複数記録媒体のうちのいずれの記録媒体に記録されるものか、ユーザが認識するのは非常に困難である。特に、複数のチューナで取得された放送番組を、すべて同一の記録媒体に記録させるような場合に、あるチューナで取得された放送番組の録画のみを停止したいときや、上述したように、例えば、同じチューナで受信されている放送信号を、録画モードを変更するなどして、複数の記録メディアに記録している場合に、ある記録媒体への記録のみを停止したいときなど、ユーザは、正しく所望のものを選択して停止を指令することが困難である。すなわち、録画系統を固定で一意に定めるようにすることは、ユーザインタフェースとしては不適当であると言える。
【０００８】
本発明はこのような状況に鑑みてなされたものであり、複数チューナにより受信される放送番組を、複数記録媒体に記録したり、外部出力することができるようになされている場合に、ユーザが操作入力を誤ってしまうことを防ぐことができるようにするものである。
【課題を解決するための手段】
【０００９】
本発明の一側面の情報処理装置は、コンテンツを取得する複数の取得手段と、ユーザの操作入力を受ける操作入力取得手段と、複数の前記取得手段により取得された前記コンテンツの記録または外部出力を制御する複数の記録または外部出力制御手段と、前記操作入力取得手段により取得された前記ユーザの操作入力を基に、複数の前記取得手段のうちのいずれかにより取得された前記コンテンツの表示を制御する表示制御手段と、複数の前記取得手段により取得された前記コンテンツの、前記記録または外部出力制御手段および前記表示制御手段への供給を制御する供給制御手段と、前記操作入力取得手段により取得されたユーザの操作入力を基に、前記記録または外部出力制御手段の選択状態を管理する選択状態管理手段と、前記表示制御手段により表示が制御される前記コンテンツを取得した前記取得手段と、前記選択状態管理手段により選択状態が管理されている前記記録または外部出力制御手段に供給される前記コンテンツを取得した前記取得手段とが一致しているか否かを判断する判断手段と、前記判断手段により前記取得手段が一致したと判断された場合、前記操作入力取得手段により取得された前記ユーザの操作入力を基に、前記記録または外部出力制御手段により実行される処理を制御する処理制御手段とを備える。
【００１０】
前記処理制御手段により制御される前記処理は、前記記録または外部出力制御手段により実行される記録または外部出力に関する処理であるものとすることができる。
【００１１】
前記処理制御手段により制御される前記処理は、前記記録または外部出力制御手段により記録処理が実行されているとき、または外部出力処理が実行されているとき、これらの処理に対する指令の実行であるものとすることができる。
【００１２】
前記記録または外部出力制御手段により実行される処理の状況に関する表示を前記コンテンツの表示に重畳させて表示させるための画像処理を実行する重畳処理手段をさらに備えさせるようにすることができ、前記重畳処理手段には、前記判断手段により前記取得手段が一致したと判断された場合、前記記録または外部出力制御手段により実行される処理の状況に関する表示を前記コンテンツの表示に重畳させて表示させるための画像処理を実行させるようにすることができる。
【００１３】
本発明の一側面の情報処理方法およびプログラムは、複数の取得部によりコンテンツを取得し、ユーザの操作入力を受け、前記ユーザの操作入力を基に、取得された前記コンテンツの表示部への表示を制御し、前記ユーザの操作入力を基に、記録部または外部出力制御部の選択状態を管理し、前記ユーザの操作入力を基に、前記記録部、前記外部出力制御部、または、前記表示部への、前記コンテンツの供給を制御し、表示が制御されている前記コンテンツを取得した前記取得部と、選択状態が管理されている前記記録部または外部出力制御部に供給される前記コンテンツを取得した前記取得部とが一致しているか否かを判断し、前記取得部が一致したと判断された場合、前記ユーザの操作入力を基に、前記記録部または前記外部出力制御部により実行される処理を制御するステップを含む。
【００１４】
本発明の一側面においては、複数の取得部（取得手段）によりコンテンツが取得され、ユーザの操作入力を受け、前記ユーザの操作入力を基に、取得された前記コンテンツの表示が制御され、前記ユーザの操作入力を基に、記録部または外部出力制御部（記録または外部出力制御手段）の選択状態が管理され、前記ユーザの操作入力を基に、前記記録部、前記外部出力制御部（記録または外部出力制御手段）、または、前記表示部（表示制御手段）への、前記コンテンツの供給が制御され、表示が制御されている前記コンテンツを取得した前記取得部（取得手段）と、選択状態が管理されている前記記録部または外部出力制御部（記録または外部出力制御手段）に供給される前記コンテンツを取得した前記取得部（取得手段）とが一致しているか否かが判断され、前記取得部（取得手段）が一致したと判断された場合、前記ユーザの操作入力を基に、前記記録部または前記外部出力制御部（記録または外部出力制御手段）により実行される処理が制御される。
【００１５】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００１６】
また、通信とは、無線通信および有線通信は勿論、無線通信と有線通信とが混在した通信、即ち、ある区間では無線通信が行われ、他の区間では有線通信が行われるようなものであっても良い。更に、ある装置から他の装置への通信が有線通信で行われ、他の装置からある装置への通信が無線通信で行われるようなものであっても良い。
【００１７】
また、録画装置は、独立した装置であっても良いし、録画再生装置または記録再生装置の録画（記録）処理を行うブロックであっても良い。
【発明の効果】
【００１８】
本発明の一側面によれば、コンテンツを記録または外部出力することができ、特に、複数の入出力がある場合に、勘違いや間違いによるユーザの誤操作を防ぐことができる。
【発明を実施するための最良の形態】
【００１９】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。したがって、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
本発明の一側面の情報処理装置は、コンテンツ（例えば、放送番組）を取得する複数の取得手段（例えば、図１の＃１チューナ１３-１乃至＃ｎチューナ１３−ｎ）と、ユーザの操作入力を受ける操作入力取得手段（例えば、図１の操作入力取得部１１）と、複数の前記取得手段により取得された前記コンテンツの記録または外部出力を制御する複数の記録または外部出力制御手段（例えば、図１の＃１記録制御部１６−１乃至＃ｍ記録制御部１６−ｍまたは外部出力制御部１９）と、前記操作入力取得手段により取得された前記ユーザの操作入力を基に、複数の前記取得手段のうちのいずれかにより取得された前記コンテンツの表示を制御する表示制御手段（例えば、図１の表示および音声出力制御部１８）と、複数の前記取得手段により取得された前記コンテンツの、前記記録または外部出力制御手段および前記表示制御手段への供給を制御する供給制御手段（例えば、図１のパス切替部１５）と、前記操作入力取得手段により取得されたユーザの操作入力を基に、前記記録または外部出力制御手段の選択状態を管理する選択状態管理手段（例えば、図２のメディア選択管理部４３）と、前記表示制御手段により表示が制御される前記コンテンツを取得した前記取得手段と、前記選択状態管理手段により選択状態が管理されている前記記録または外部出力制御手段に供給される前記コンテンツを取得した前記取得手段とが一致しているか否かを判断する判断手段（例えば、図４６の外部出力または録画処理操作入力受付管理部４６）と、前記判断手段により前記取得手段が一致したと判断された場合、前記操作入力取得手段により取得された前記ユーザの操作入力を基に、前記記録または外部出力制御手段により実行される処理を制御する処理制御手段（例えば、図２の外部出力または録画処理制御部４７）とを備える。
【００２１】
前記処理制御手段により制御される前記処理は、前記記録または外部出力制御手段により実行される記録または外部出力に関する処理（例えば、外部出力設定、外部出力の開始、外部出力モードの変更、外部出力の一時停止、および、外部出力の停止、並びに、録画設定、録画開始、録画モードの変更、録画一時停止、および、録画停止など）であるものとすることができる。
【００２２】
前記処理制御手段により制御される前記処理は、前記記録または外部出力制御手段により記録処理が実行されているとき、または外部出力処理が実行されているとき、これらの処理に対する指令の実行（例えば、外部出力モードの変更、外部出力の一時停止、および、外部出力の停止、並びに、録画モードの変更、録画一時停止、および、録画停止など）であるものとすることができる。
【００２３】
前記記録または外部出力制御手段により実行される処理の状況に関する表示を前記コンテンツの表示に重畳させて表示させるための画像処理を実行する重畳処理手段（例えば、図１のＯＳＤ合成部１７）をさらに備えさせることができ、前記重畳処理手段は、前記判断手段により前記取得手段が一致したと判断された場合、前記記録または外部出力制御手段により実行される処理の状況に関する表示を前記コンテンツの表示に重畳させて表示させるための画像処理を実行することができる。
【００２４】
本発明の一側面の情報処理方法およびプログラムは、複数の取得部（例えば、図１の＃１チューナ１３-１乃至＃ｎチューナ１３−ｎ）によりコンテンツ（例えば、放送番組）を取得し（例えば、図８のステップＳ１または図９のステップＳ４１の処理）、ユーザの操作入力を受け（例えば、図８のステップＳ３または図９のステップＳ４３の処理）、前記ユーザの操作入力を基に、取得された前記コンテンツの表示部への表示を制御し（例えば、図８のステップＳ１５またはＳ１７、もしくは、図９のステップＳ４５またはＳ４７の処理）前記ユーザの操作入力を基に、記録部（例えば、図１の＃１記録制御部１６−１乃至＃ｍ記録制御部１６−ｍ）または外部出力制御部（例えば、外部出力制御部１９）の選択状態を管理し（例えば、図８のステップＳ６、または、Ｓ１９、もしくは、図９のステップＳ４９の処理）、前記ユーザの操作入力を基に、前記記録部、前記外部出力制御部、または、前記表示部への、前記コンテンツの供給を制御し（例えば、図８のステップＳ１５または図９のステップＳ４５の処理）、表示が制御されている前記コンテンツを取得した前記取得部と、選択状態が管理されている前記記録部または外部出力制御部に供給される前記コンテンツを取得した前記取得部とが一致しているか否かを判断し（例えば、図８のステップＳ２１または図９のステップＳ５１の処理）、前記取得部が一致したと判断された場合、前記ユーザの操作入力を基に、前記記録部または前記外部出力制御部により実行される処理を制御する（例えば、図８のステップＳ２２または図９のステップＳ５２の処理）ステップを含む。
【００２５】
以下、図を参照して、本発明の実施の形態について説明する。
【００２６】
図１は、本発明を適用した録画装置１の構成を示すブロック図である。
【００２７】
録画装置１は、操作入力取得部１１、制御部１２、＃１チューナ１３−１乃＃ｎチューナ至１３−ｎ、＃１エンコーダ１４-１乃至＃ｎエンコーダ１４−ｎ、パス切替部１５、＃１記録制御部１６−１乃至＃ｍ記録制御部１６−ｍ、ＯＳＤ合成部１７、並びに、表示および音声出力制御部１８を含んで構成されている。また、録画装置１には、必要に応じて、外部出力制御部１９およびドライブ２０も設けられている。
【００２８】
操作入力取得部１１は、例えば、ボタン、キー、ダイヤル、タッチパッドなどの入力デバイス、または、図示しないリモートコマンダからの赤外線などによる無線信号を受信する受信部などによって構成され、ユーザの操作入力を取得し、制御部１２に供給する。
【００２９】
制御部１２は、操作入力取得部１１から、ユーザの操作入力を示す信号の供給を受け、録画装置１内部の動作を制御する。制御部１２が有する機能の詳細については、図２を用いて後述する。
【００３０】
＃１チューナ１３−１乃至＃ｎチューナ１３−ｎは、２以上のｎ個設けられており、制御部１２の制御に基づいて、アナログまたはデジタルの放送信号をユーザの操作入力に基づいて選局して受信し、エンコーダ１４-１乃至１４−ｎにそれぞれ出力する。＃１チューナ１３−１乃至＃ｎチューナ１３−ｎは、例えば、地上波アナログ、地上波デジタル、ＢＳ（Broadcasting Satellite），または、ＣＳ（Communications Satellite）などの放送信号を受信して選局することができる。以下、＃１チューナ１３−１乃至＃ｎチューナ１３−ｎをそれぞれ区別する必要がない場合、チューナ１３と称するものとする。
【００３１】
＃１エンコーダ１４-１乃至＃ｎエンコーダ１４−ｎは、２以上のｎ個設けられており、チューナ１３のそれぞれにより受信された放送番組データの供給を受けて、所定の方式（例えば、MPEG方式）でエンコードし、パス切替部１５に供給する。以下、＃１エンコーダ１４-１乃至＃ｎエンコーダ１４−ｎをそれぞれ区別する必要がない場合、エンコーダ１４と称するものとする。
【００３２】
パス切替部１５は、制御部１２の制御に基づいて、エンコーダ１４のいずれかによりエンコードされた放送番組データの出力先を制御する。例えば、図１に示されている場合、＃１チューナ１３−１により受信され＃１エンコーダ１４-１によりエンコードされた放送信号は、＃ｍ記録制御部１６−ｍに供給され、＃ｎチューナ１３−ｎにより受信され＃ｎエンコーダ１４-ｎによりエンコードされた放送信号は、＃１記録制御部１６−１に供給されるとともに、表示出力されるために、ＯＳＤ合成部１７を介して、表示および音声出力制御部１８に供給されている。
【００３３】
パス切替部１５は、同一のチューナにより受信されてエンコードされた放送信号を、＃１記録制御部１６−１乃至＃ｍ記録制御部１６−ｍ、ＯＳＤ合成部１７、または、外部出力制御部１９のうちの複数のものに供給してもよいし、チューナ１３−１乃至１３−ｎのうちの複数のチューナにより受信されてエンコードされた放送信号を、＃１記録制御部１６−１乃至＃ｍ記録制御部１６−ｍ、または、外部出力制御部１９のうちのいずれか１つに供給してもよい。
【００３４】
＃１記録制御部１６−１乃至＃ｍ記録制御部１６−ｍは、１以上のｍ個設けられており、制御部１２の制御に基づいて、供給されたエンコード済みの放送番組データの所定の記録メディアへの記録を制御する。＃１記録制御部１６−１乃至＃ｍ記録制御部１６−ｍは、例えば、ハードディスク、書き込み型DVD、半導体メモリ、光磁気ディスク、磁気テープ等の記録メディアへのデータの記録を制御する。これらの記録媒体は、図示されていないが、録画装置２に内蔵されているか、または、録画装置１に装着可能なように（すなわち、録画装置１が記録媒体に対応するドライブを有するように）なされている。
【００３５】
＃１記録制御部１６−１乃至＃ｍ記録制御部１６−ｍのそれぞれは、複数のチューナによってチューニングされる複数の放送番組のデータを一度に１つの記録部または記録媒体に記録させることができる。例えば、チューナ１３−１、チューナ１３−２、および、チューナ１３−３によって受信され、それぞれ対応する＃１エンコーダ１４-１乃至＃３エンコーダ１４−３においてエンコードされた放送信号を、すべて、＃１記録制御部１６-１の処理によりハードディスクに記録することが可能である。
【００３６】
ＯＳＤ合成部１７は、パス切替部１５から、表示出力される放送番組データの入力を受け、放送番組データのうちの映像データに、例えば、ユーザの操作入力の補助となる情報（いわゆる、ＧＵＩなども含む情報）を重畳して表示させるためのＯＳＤ（On Screen display）機能を有するものである。ＯＳＤ合成部１７は、制御部１８の制御に基づいて、必要に応じて、放送番組データのうちの映像データに、例えば、録画モードなどの録画処理に関する情報など、ユーザの操作入力の補助となる情報を重畳し、放送番組データ（映像および音声）を、表示および音声出力制御部１８に供給する。
【００３７】
表示および音声出力制御部１８は、供給された放送番組データのうちの映像データを。モニタまたはディスプレイなどへ供給して表示を制御するとともに、供給された放送番組データのうちの音声データをスピーカへ供給して、音声出力を制御する。なお、モニタまたはディスプレイなどの表示デバイスやスピーカは、録画装置１に設けられていても、外部の装置であってもかまわない。
【００３８】
また、必要に応じて備えられている外部出力制御部１９は、有線または無線を介して直接他の装置と接続されるか、または、有線または無線による所定のネットワークを介して、他の装置と接続されており、受信され、エンコードされた放送信号の他の装置への出力を制御する。
【００３９】
また、制御部１２には、必要に応じてドライブ２０が接続され、磁気ディスク、光ディスク、光磁気ディスク、または、半導体メモリなどよりなるリムーバブルメディア２１が適宜装着され、それらから読み出されたコンピュータプログラムが、必要に応じて制御部１２にインストールされて、実行可能なようになされている。
【００４０】
ユーザは、録画装置１に対して操作入力を行い、所望のチューナにより所望の放送番組のデータを取得する。また、ユーザは、録画装置１に対して操作入力を行い、取得された放送番組を、外部出力制御部１９の処理により所望の外部機器に出力させることができ、更に、＃１記録制御部１６-１乃至＃ｍ記録制御部１６-ｍのいずれかの制御により、所望の記録メディアに記録させることができる。また、ユーザは、録画装置１に対して操作入力を行い、取得された放送番組のうちのいずれかを、表示および音声出力制御部１８の制御により、表示出力させて視聴する（番組の放送に対してリアルタイムで視聴する）ことができる。
【００４１】
また、録画装置１においては、例えば、＃１記録制御部１６−１はハードディスク、＃２記録制御部１６−２はＤＶＤ、＃３記録制御部１６−３は磁気テープ、＃４記録制御部１６−４は半導体メモリなどというように、＃１記録制御部１６−１乃至＃ｍ記録制御部１６−ｍにそれぞれ対応する記録メディアがあらかじめ決められており、変更することができない場合がほとんどである。したがって、このような場合は、ユーザが＃１記録制御部１６−１乃至＃ｍ記録制御部１６−ｍのうちのいずれかを選択する場合の操作入力のためのユーザインタフェース（例えば、ボタン等の表示やＯＳＤ合成部１７により表示出力される映像に重畳されるＧＵＩなど）は、＃１記録制御部１６−１乃至＃ｍ記録制御部１６−ｍのいずれかを直接指し示す名称ではなく、対応する記録メディアの名称が対応つけられて表示されるものとすると、ユーザは、所望の記録メディアを選択すればよいので、直感的に分かり易く、好適である。以下、＃１記録制御部１６−１乃至＃ｍ記録制御部１６−ｍに対応する記録メディアを、＃１記録メディア乃至＃ｍ記録メディアと称するものとする。
【００４２】
また、図１においては、チューナ１３−１乃至１３−ｎの一部または全部は、録画装置１の外部に備えられていてもよく、更に、放送番組は、チューナ１３−１乃至１３−ｎのうちのいずれかにより受信される以外にも、例えば、所定のネットワークインタフェースを備えることにより、インターネットなどの広域ネットワーク、または、ケーブルテレビジョンや有線放送網などの所定のネットワークを介して取得するようにしてもよい。また、本発明の録画装置において取得されて記憶されるのは、放送番組のみならず、さまざまなコンテンツであってもよい。
【００４３】
なお、録画装置１は、図１を用いて説明した構成以外の機能（例えば、録画された放送番組またはコンテンツなどの再生機能や、静止画像の表示機能など）を更に有していてもよい。また、本発明は、図１を用いて説明した録画装置１以外においても適用することが可能であり、例えば、パーソナルコンピュータ、PDA（Personal Digital Assistant)、携帯型電話機など、ユーザの操作入力を受けることができ、記録されるコンテンツを取得することができ、取得されたコンテンツの記録および表示を制御することができる情報処理装置であれば、どのような形態の装置であっても適用可能である。
【００４４】
次に、図２を参照して、図１の制御部１２が有する機能について説明する。
【００４５】
命令取得部４１は、操作入力取得部１１からユーザの操作入力を示す信号の供給を受け、対応する命令を選択して、チューニング制御部４２、メディア選択管理部４３、パス切替制御部４４、表示および音声出力制御部４５、もしくは、外部出力または録画処理操作入力受付管理部４６に供給する。
【００４６】
チューニング制御部４２は、命令取得部４１から、チューニングに関する命令の供給を受け、チューナ１３−１乃至１３−ｎのそれぞれにより受信される放送信号の選局を制御する。また、チューニング制御部４２は、選択中のチューナは、チューナ１３−１乃至１３−ｎのうちのいずれであるかを管理し、必要に応じて、パス切替制御部４４、もしくは、外部出力または録画処理操作入力受付管理部４６に、選択状態のチューナを示す情報を供給する。
【００４７】
メディア選択管理部４３は、命令取得部４１から、記録メディアの選択に関する命令の供給を受け、外部出力または録画操作入力受付管理部４６およびパス切替制御部４４に供給する。また、録画装置１において録画されないで外部出力制御部１９の制御により外部の装置に供給される放送信号も、ユーザにとっては、録画される番組の放送信号と同等に扱われるものである。したがって、録画装置１に外部出力制御部１９が設けられている場合、メディア選択管理部４３は、＃１記録メディア乃至＃ｍ記録メディアと外部出力との中から、いずれか１つを選択状態であると認識するものとする。すなわち、メディア選択管理部４３は、現在選択状態であるのは、外部出力か、記録メディアのうちのいずれかであるかを管理する（換言すれば、現在選択状態であるのは、外部出力制御部１９または＃１記録制御部１６−１乃至＃ｍ記録制御部１６−ｍのうちのいずれであるのかを管理する）ものである。
【００４８】
メディア選択管理部４３において現在選択状態であると認識される記録メディア（外部出力も含む）は、いずれか１つのみである。すなわち、ユーザにより、最後に選択された記録メディアが現在選択状態の記録メディアであり、ユーザから他の記録メディアを選択する操作入力が行われるまでは、記録メディアの選択状態は維持される。
【００４９】
パス切替制御部４４は、命令取得部４１、チューニング制御部４２、および、メディア選択管理部４３から、表示出力される放送信号が、チューナ１３のうちのいずれのチューナにより受信される信号であるかを指定する命令や、チューナ１３のうちのいずれのチューナにより受信された信号を、＃１記録メディア乃至＃ｍ記録メディアのうちのいずれの記録メディアに記録させるかまたは外部出力させるかを指定する命令を受け、パス切替部１５による、受信されてエンコードされた放送信号の出力先の切り替えを制御する。
【００５０】
表示および音声出力制御部４５は、命令取得部４１から、例えば、表示される映像の調整、音声のボリュームなどの命令の供給を受け、表示および音声出力制御部１８を制御する。更に、表示および音声出力制御部４５は、ＯＳＤ合成部１７によって実行される、映像データにユーザの操作入力の補助となる情報（各種ＧＵＩなどを含む）を重畳させる処理を制御する。
【００５１】
外部出力または録画処理操作入力受付管理部４６は、チューニング制御部４２から、現在選択状態のチューナがいずれであるかの情報を得、また、メディア選択部４３により現在選択状態の記録メディア（または外部出力が選択中である場合もある）がいずれであるかの情報を得て、選択状態の記録メディアに記録中の放送番組、または、これから記録される放送番組が表示出力されているか否かに基づいて、命令取得部４１から供給される命令を外部出力または録画処理制御部４７に供給するか否かを判断する。
【００５２】
外部出力または録画処理操作入力受付管理部４６は、例えば、選択状態の記録メディアに記録中または外部出力中の放送番組に関する操作入力を受け付けるか否かを判断するようになされている場合（例えば、後述する図８のフローチャートを用いて説明する処理）、現在外部出力中の放送信号に対する外部出力モード（外部出力される映像や音声の品質やデータ形式などの変更を含む）の変更、外部出力の一時停止、および、外部出力の停止、並びに、現在録画中の放送番組に対する録画モード（録画される映像や音声の品質やデータ形式などの変更を含む）の変更、録画の一時停止、および、録画停止などの命令の供給を受け、それらの命令を受け付けるか否かを判断し、命令を受け付ける場合は、供給された命令を外部出力または録画処理制御部４７に供給する。
【００５３】
また、外部出力または録画処理操作入力受付管理部４６は、例えば、選択状態の記録メディアに記録中または外部出力中の放送番組に関する操作入力に加えて、録画または外部出力の開始を指令する操作入力に対しても、操作入力を受け付けるか否かを判断するようになされている場合（例えば、後述する図９のフローチャートを用いて説明する処理）、外部出力の開始、外部出力モード（外部出力される映像や音声の品質やデータ形式などの変更を含む）の変更、外部出力の一時停止、および、外部出力の停止、並びに、録画開始、録画モード（録画される映像や音声の品質やデータ形式などの変更を含む）の変更、録画の一時停止、および、録画停止などの命令の供給を受け、それらの命令を受け付けるか否かを判断し、命令を受け付ける場合は、供給された命令を外部出力または録画処理制御部４７に供給する。
【００５４】
外部出力または録画処理制御部４７は、外部出力または録画処理操作入力受付管理部４６から供給された各種命令を基に、＃１記録制御部１６−１乃至＃ｍ記録制御部１６−ｍ、および、外部出力制御部１９が実行する処理を制御する。
【００５５】
次に、外部出力または録画処理操作入力受付管理部４６が、命令取得部４１から供給された命令を受け付けるか否かの判断について説明する。
【００５６】
録画装置１が複数のチューナを有し、複数の記録メディアに受信した放送信号を記録させたり、外部出力することができる場合、上述したように、チューナ数または記録メディア数が増えるにしたがって、ユーザが所望するいずれかの記録または外部出力の動作を正しく選択し（または選択状態を認識し）、操作入力を行うことが困難となってしまう。
【００５７】
特に、複数のチューナにより受信された放送信号を１つの記録メディアに記録可能な場合、または、１つのチューナにより受信された放送信号を、例えば、録画品質を変更するなどして、複数の記録メディアに記録させることが可能な場合など、ユーザは、いずれの記録または外部出力の動作に対して操作入力を行っているのかを正しく認識することが困難となってしまう。
【００５８】
そこで、本発明を適用した録画装置１においては、表示出力されている放送信号が録画され、その放送番組を録画している記録メディアが選択状態である場合、または、表示出力されている放送信号が外部出力され、外部出力が選択状態である場合に、その録画処理または外部出力処理に対する操作入力を受け付けるものとする。
【００５９】
換言すれば、本発明を適用した録画装置１においては、現在選択状態となっている記録メディア（への放送信号の記録を制御する＃１記録制御部１６−１乃至＃ｍ記録制御部１６−ｍのいずれか）または外部出力（を制御する出力制御部１９）に対して放送信号を供給しているチューナと、表示出力されている放送信号を受信しているチューナとが一致している場合にのみ、対応する＃１記録制御部１６−１乃至＃ｍ記録制御部１６−ｍのいずれか、または、外部出力制御部１９に対する操作入力を受け付けて、制御を行うものである。
【００６０】
図３および図４を参照して、＃１チューナ１３−１および＃２チューナ１３−２によって受信された放送信号が、＃１記録メディアまたは#２記録メディアに記録される場合において、ユーザの操作入力を受け付ける状況と受け付けない状況について説明する。なお、図中、録画制御の欄に「×」が記載されているのは、操作入力が受け付けられないパターンを示すものであり、録画制御の欄にチューナと記録メディアの番号が記載されているのは、操作入力が受け付けられるパターンを示すものである。
【００６１】
まず、図３を用いて、＃１チューナ１３−１および＃２チューナ１３−２によって受信された放送信号が、＃１記録メディアまたは＃２記録メディアのいずれの記録メディアに記録されるかによって場合分けして説明する。
【００６２】
まず、＃１チューナ１３−１および＃２チューナ１３−２によって受信された放送信号が、いずれも＃１記録メディアに記録される場合について説明する。表示出力されるのが、＃１チューナ３１−１によって受信された放送信号であっても、＃２チューナ３１−２によって受信された放送信号であっても、選択状態の記録メディアが＃１記録メディアのときのみ、ユーザの操作入力が受け付けられ、選択状態の記録メディアが＃２記録メディアであるときは、ユーザの操作入力が受け付けられない。そして、＃１チューナ３１−１によって受信された放送信号が表示出力され、選択状態の記録メディアが＃１記録メディアのとき、ユーザの操作入力が受け付けられて、＃１チューナ１３−１によって受信された信号の＃１記録メディアへの記録を制御する＃１記録制御部１６−１に対する制御が行われる。また、＃２チューナ３１−２によって受信された放送信号が表示出力され、選択状態の記録メディアが＃１記録メディアのとき、ユーザの操作入力が受け付けられて、＃２チューナ１３−２によって受信された信号の＃１記録メディアへの記録を制御する＃１記録制御部１６−１に対する制御が行われる。
【００６３】
例えば、＃１チューナ１３−１により受信された放送番組が録画されているとともに表示されており、＃２記録メディアが選択状態のとき、ユーザの操作入力は受け付けられない。表示出力されている＃１チューナ１３−１により受信された放送番組に対する録画処理への操作入力を行いたい場合、ユーザは、記録メディアの選択状態を＃２記録メディアから＃１記録メディアに変更することにより、所望の操作入力を行うことができるようになる。また、ユーザが、選択状態である＃２記録メディアに記録されている放送番組に対する録画処理への操作入力を行おうとしても、＃２記録メディアには放送番組が録画されていない（換言すれば、いずれのチューナにより受信された放送信号も供給されていない）ので、操作入力は受け付けられない。
【００６４】
また、＃１チューナ１３−１および＃２チューナ１３−２によって受信された放送信号が、いずれも＃２記録メディアに記録される場合についても同様である。すなわち、表示出力されるのが、＃１チューナ３１−１によって受信された放送信号であっても、＃２チューナ３１−２によって受信された放送信号であっても、選択状態の記録メディアが＃２記録メディアのときのみ、ユーザの操作入力が受け付けられ、選択状態の記録メディアが＃１記録メディアであるときは、ユーザの操作入力が受け付けられない。そして、＃１チューナ３１−１によって受信された放送信号が表示出力され、選択状態の記録メディアが＃２記録メディアのとき、ユーザの操作入力が受け付けられて、＃１チューナ１３−１によって受信された信号の＃２記録メディアへの記録を制御する＃２記録制御部１６−２に対する制御が行われる。また、＃２チューナ３１−２によって受信された放送信号が表示出力され、選択状態の記録メディアが＃２記録メディアのとき、ユーザの操作入力が受け付けられて、＃２チューナ１３−２によって受信された信号の＃２記録メディアへの記録を制御する＃２記録制御部１６−２に対する制御が行われる。
【００６５】
例えば、＃２チューナ１３−２により受信された放送番組が録画されているとともに表示されており、＃１記録メディアが選択状態のとき、ユーザの操作入力は受け付けられない。表示出力されている＃２チューナ１３−２により受信された放送番組に対する録画処理への操作入力を行いたい場合、ユーザは、記録メディアの選択状態を＃１記録メディアから＃２記録メディアに変更することにより、所望の操作入力を行うことができるようになる。また、ユーザが、選択状態である＃１記録メディアに記録されている放送番組に対する録画処理への操作入力を行おうとしても、＃１記録メディアには放送番組が録画されていない（換言すれば、いずれのチューナにより受信された放送信号も供給されていない）ので、操作入力は受け付けられない。
【００６６】
すなわち、異なるチューナによって受信される放送信号が同一の記録メディアに記録される場合であっても、ユーザは、いずれの放送信号の録画に関する操作入力を行うかを、表示出力されているものと一致しているか否かによって確実に認識することができる。
【００６７】
そして、＃１チューナ１３−１および＃２チューナ１３−２によって受信された放送信号を記録する記録メディアが異なる場合においては、表示出力されている放送番組を記録している記録メディアが選択状態であるときのみ、ユーザの操作入力が受け付けられる。
【００６８】
すなわち、＃１チューナ１３−１によって受信された放送信号が、＃２記録メディアに記録され、＃２チューナ１３−２によって受信された放送信号が、＃１記録メディアに記録される場合、表示出力されるのが＃１チューナ１３−１によって受信された放送信号であるときは、＃２記録メディアが選択状態であるときのみ、ユーザの操作入力が受け付けられ、表示出力されるのが＃２チューナ１３−２によって受信された放送信号であるときは、＃１記録メディアが選択状態であるときのみ、ユーザの操作入力が受け付けられる。
【００６９】
例えば、＃１チューナ１３−１により受信された放送番組が録画されているとともに表示されており、＃１記録メディアが選択状態のとき、ユーザの操作入力は受け付けられない。選択状態である＃１記録メディアに記録されている放送番組に対する録画処理への操作入力を行いたい場合、ユーザは、表示されている放送番組を＃１チューナ１３−１により受信されているものから＃２チューナ１３−２により受信されているものに変更（すなわち、チューナの選択を＃１チューナ１３−１から＃２チューナ１３−２に変更）することにより、所望の操作入力を行うことができるようになる。また、表示されている＃１チューナ１３−１により受信された放送番組の録画に対して操作入力を行いたい場合、ユーザは、記録メディアの選択状態を＃１記録メディアから＃２記録メディアに変更することにより、所望の操作入力を行うことができるようになる。
【００７０】
また、＃１チューナ１３−１によって受信された放送信号が、＃１記録メディアに記録され、＃２チューナ１３−２によって受信された放送信号が、＃２記録メディアに記録される場合、表示出力されるのが＃１チューナ１３−１によって受信された放送信号であるときは、＃１記録メディアが選択状態であるときのみ、ユーザの操作入力が受け付けられ、表示出力されるのが＃２チューナ１３−２によって受信された放送信号であるときは、＃２記録メディアが選択状態であるときのみ、ユーザの操作入力が受け付けられる。
【００７１】
例えば、＃２チューナ１３−２により受信された放送番組が録画されているとともに表示されており、＃１記録メディアが選択状態のとき、ユーザの操作入力は受け付けられない。選択状態である＃１記録メディアに記録されている放送番組に対する録画処理への操作入力を行いたい場合、ユーザは、表示されている放送番組を＃２チューナ１３−２により受信されているものから＃１チューナ１３−１により受信されているものに変更（すなわち、チューナの選択を＃２チューナ１３−２から＃１チューナ１３−１に変更）することにより、所望の操作入力を行うことができるようになる。また、表示されている＃２チューナ１３−２により受信された放送番組の録画に対して操作入力を行いたい場合、ユーザは、記録メディアの選択状態を＃１記録メディアから＃２記録メディアに変更することにより、所望の操作入力を行うことができるようになる。
【００７２】
次に、図４を用いて、＃１記録メディアと＃２記録メディアに記録される放送信号のソースが、＃１チューナ１３−１および＃２チューナ１３−２のうちのいずれかによって場合分けして説明する。
【００７３】
＃１チューナ１３−１によって受信された放送信号が、＃２記録メディアに記録され、＃２チューナ１３−２によって受信された放送信号が、＃１記録メディアに記録される場合、および、＃１チューナ１３−１によって受信された放送信号が、＃１記録メディアに記録され、＃２チューナ１３−２によって受信された放送信号が、＃２記録メディアに記録される場合は、図３を用いて説明した場合と同様である。
【００７４】
そして、第１記録メディアおよび第２記録メディアに記録される放送信号が、＃１チューナ１３−１によって受信された放送信号である場合、＃１チューナ１３−１によって受信された放送信号が表示出力されている場合には、メディア選択が＃１記録メディアであっても＃２記録メディアであっても、操作入力は受け付けられるが、＃２チューナ１３−２によって受信された放送信号が表示出力されている場合には、操作入力は受け付けられない。
【００７５】
また、第１記録メディアおよび第２記録メディアに記録される放送信号が、＃２チューナ１３−２によって受信された放送信号である場合、＃２チューナ１３−２によって受信された放送信号が表示出力されている場合には、メディア選択が＃１記録メディアであっても＃２記録メディアであっても、操作入力は受け付けられるが、＃１チューナ１３−１によって受信された放送信号が表示出力されている場合には、操作入力は受け付けられない。
【００７６】
すなわち、同一の放送番組を異なる記録メディアに記録させる場合であっても、ユーザは、操作入力対象となる記録メディアを指定して操作入力を行うことができる。また、ユーザが、例えば、＃１記録メディアを選択して＃１記録メディアへの録画処理に関する操作入力を行おうとした場合、＃１記録メディアに記録されている放送番組が表示されているときのみ操作入力が受け付けられるので、所望しない番組の録画操作をしてしまうことを防止することができる。
【００７７】
これにより、例えば、＃１チューナ１３−１により受信され、＃１エンコーダ１４−１によりエンコードされた放送信号が、複数の記録メディアに記録され、かつ、外部出力されている場合、ユーザが、外部出力のみを中止しようとしたり、所定の記録メディアへの記録モードのみを変更しようとしたときに、操作入力対象とする記録メディアまたは外部出力を指定することが可能となるので、操作性が向上する。
【００７８】
次に、図５および図６を参照して、＃１チューナ１３−１乃至＃３チューナ１３−３によって受信された放送信号が、＃１記録メディア乃至＃３記録メディアに記録される場合において、ユーザの操作入力を受け付ける状況と受け付けない状況について説明する。なお、図５および図６においては、チューナと記録メディアとの組み合わせの全部ではなく、その一部のみを抜粋して説明しているが、図示されていない組み合わせにおいても、選択されている記録メディアと表示出力されている放送番組が対応している場合にのみ、ユーザの操作入力が受け付けられ、制御が行われるものであることは言うまでもない。なお、図中、録画制御の欄に「×」が記載されているのは、操作入力が受け付けられないパターンを示すものであり、録画制御の欄にチューナと記録メディアの番号が記載されているのは、操作入力が受け付けられるパターンを示すものである。
【００７９】
まず、図５を用いて、＃１チューナ１３−１乃至＃３チューナ１３−３によって受信された放送信号が、いずれの記録メディアに記録されるかによって場合分けして説明する。
【００８０】
＃１チューナ１３−１乃至＃３チューナ１３−３によって受信された放送信号が、いずれも＃１記録メディアに記録される場合について説明する。
【００８１】
表示出力されるのが、＃１チューナ１３−１乃至＃３チューナ１３−３のいずれのチューナによって受信された放送信号であっても、選択状態の記録メディアが＃１記録メディアのときのみ、ユーザの操作入力が受け付けられ、選択状態の記録メディアが＃２記録メディアまたは＃３記録メディアであるときは、ユーザの操作入力が受け付けられない。そして、＃１チューナ３１−１によって受信された放送信号が表示出力され、選択状態の記録メディアが＃１記録メディアのとき、ユーザの操作入力が受け付けられ、＃１チューナ１３−１によって受信された信号の＃１記録メディアへの記録を制御する＃１記録制御部１６−１に対する制御が行われる。また、＃２チューナ３１−２によって受信された放送信号が表示出力され、選択状態の記録メディアが＃１記録メディアのとき、ユーザの操作入力が受け付けられ、＃２チューナ１３−２によって受信された信号の＃１記録メディアへの記録を制御する＃１記録制御部１６−１に対する制御が行われる。そして、＃３チューナ３１−３によって受信された放送信号が表示出力され、選択状態の記録メディアが＃１記録メディアのとき、ユーザの操作入力が受け付けられ、＃３チューナ１３−３によって受信された信号の＃１記録メディアへの記録を制御する＃１記録制御部１６−１に対する制御が行われる。
【００８２】
例えば、＃１チューナ１３−１により受信された放送番組が録画されているとともに表示されており、＃３記録メディアが選択状態のとき、ユーザの操作入力は受け付けられない。表示出力されている＃１チューナ１３−１により受信された放送番組に対する録画処理への操作入力を行いたい場合、ユーザは、記録メディアの選択状態を＃３記録メディアから＃１記録メディアに変更することにより、所望の操作入力を行うことができるようになる。また、ユーザが、選択状態である＃３記録メディアに記録されている放送番組に対する録画処理への操作入力を行おうとしても、＃３記録メディアには放送番組が録画されていない（換言すれば、いずれのチューナにより受信された放送信号も供給されていない）ので、操作入力は受け付けられない。
【００８３】
ほかの組み合わせであっても、同様にして、選択されている記録メディアと表示出力されている放送番組が対応していない場合、ユーザの操作入力は受け付けられない。そのような場合、ユーザは、チューナまたは記録メディアの選択を変更することにより、所望の録画処理に対する操作入力を行うことが可能となる。このようにすることにより、ユーザは、所望の録画処理に対して間違えることなく操作入力を行うことが可能となる。
【００８４】
このように、異なるチューナによって受信される放送信号が同一の記録メディアに記録される場合であっても、ユーザは、いずれの放送信号の録画に関する操作入力を行うかを、表示出力されているものと一致しているか否かによって認識することができ、所望の録画処理に対して間違えることなく操作入力を行うことが可能となる。
【００８５】
次に、図６を用いて、＃１記録メディア乃至＃３記録メディアに記録される放送信号のソースが、＃１チューナ１３−１乃至＃３チューナ１３−３のうちのいずれかによって場合分けして説明する。
【００８６】
第１記録メディア乃至第３記録メディアに記録される放送信号が、＃１チューナ１３−１によって受信された放送信号である場合、＃１チューナ１３−１によって受信された放送信号が表示出力されている場合には、メディア選択がいずれの記録メディアであっても、操作入力は受け付けられるが、＃２チューナ１３−２によって受信された放送信号が表示出力されている場合、および、＃３チューナ１３−３によって受信された放送信号が表示出力されている場合には、操作入力は受け付けられない。
【００８７】
ほかの組み合わせであっても、同様にして、選択されている記録メディアと表示出力されている放送番組が対応していない場合、ユーザの操作入力は受け付けられない。そのような場合、ユーザは、チューナまたは記録メディアの選択を変更することにより、所望の録画処理に対する操作入力を行うことが可能となる。これにより、所望の録画処理に対して間違えることなく操作入力を行うことが可能となる。
【００８８】
このように、＃１チューナ１３−１乃至＃３チューナ１３−３によって受信された放送信号が、＃１記録メディア乃至＃３記録メディアに記録される場合であっても、同一の放送番組を異なる記録メディアに記録させるときに、ユーザは、操作入力対象となる記録メディアを指定して操作入力を行うことができる。また、ユーザが、例えば、＃３記録メディアを選択して＃３記録メディアへの録画処理に関する操作入力を行おうとした場合、＃３記録メディアに記録されている放送番組が表示されているときのみ操作入力が受け付けられるので、所望しない番組の録画操作をしてしまうことを防止することができる。
【００８９】
このようにして、本発明を適用した録画装置１においては、ユーザが視聴している放送番組と、現在選択状態とされている記録メディアに記録されている放送番組とが一致した場合にのみ、ユーザの操作入力が受け付けられて、録画または外部出力の制御（例えば、録画中なら録画一時停止や録画停止処理など）を行うことができるようになされている。
【００９０】
これにより、ユーザが、勘違いや間違いによって誤操作をおこなうことを防止するができるので、操作性が向上する。特に、複数のチューナ（または、有線放送やネットワークを介したコンテンツ配信など、チューナによる放送番組の受信以外の入力があってもよい）、および、複数の記録メディア（例えばHDD、DVD、半導体デバイス、または、USB端子などを介した外部出力）の機能を有する録画装置、または、録画機能を有する情報処理装置において、単純な仕様で、ユーザにとって理解しやすいインターフェースを提供し、録画制御を行うことができる。
【００９１】
また、ＯＳＤ合成部１７によって表示出力される映像に録画状況が重畳されて出力される場合、録画装置１において複数の録画処理が並行して実行されているときに、表示されている録画状況が、いずれの録画処理に関するものか、ユーザが正しく認識するのが困難である場合がある。
【００９２】
そこで、本発明を適用した録画装置１においては、選択状態の記録メディアまたは外部出力が、表示出力されている放送番組を記録しているかまたは外部出力している場合にのみ、録画状況が表示されるものとすることができる。
【００９３】
すなわち、図７に示される表示画面７１において、選択状態のチューナおよび記録メディアを表示する表示エリア８１、現在録画処理中か、停止中か、または、一時停止中かなどの録画状態を示す録画状態表示エリア８２、標準録画モードや高画質録画モードなどの録画モードを示す録画モード表示エリア８３、または、録画開始からの経過時刻を示す録画カウンタ表示エリア８４などの表示は、選択状態の記録メディアまたは外部出力が、表示出力されている放送番組を記録しているかまたは外部出力している場合にのみ表示される。
【００９４】
なお、現在選択状態のチューナおよび記録メディアを表示する表示エリア８１については、選択状態の記録メディアまたは外部出力が、表示出力されている放送番組を記録または外部出力していない場合においても、表示されるようにしてもよい。
【００９５】
また、録画状況に関する情報としては、図７に示される以外の、例えば、選択状態の記録メディアの残容量などの情報など、さまざまな情報を含んでいてもよいことは言うまでもない。更に、選択状態のチューナおよび記録メディア表示エリア８１、録画状態表示エリア８２、録画モード表示エリア８３、または、録画カウンタ表示エリア８４などの表示形式は、図７に示される以外の、いかなる表示形式であってもよい。
【００９６】
例えば、ユーザが、現在いずれかの記録メディアに記録中の放送番組を表示させ、その録画状況を図７に示すように表示させたい場合、表示されている放送番組を録画している記録メディアを選択状態とすればよい。
【００９７】
また、例えば、同一のチューナにより受信された放送番組が、複数の記録メディアに記録されていたり、記録メディアに記録されるとともに外部出力されている場合などにおいて、ユーザが、そのうちのいずれかの録画モードを確認したい場合や、外部出力が一時停止されているか否かを確認したい場合など、受信されている放送番組が同一であっても、ユーザは、所望の記録媒体、または、外部出力を選択することができ、希望する操作入力を誤らずに行うことが可能となる。
【００９８】
これにより、ユーザが現在実行中の録画状況を誤って認識してしまうことを防ぐことができる。
【００９９】
このようにして、ＯＳＤ合成部１７による録画状況の重畳を、表示されている放送番組（換言すれば、選択されているチューナ）および選択状態の記録メディアのマッチングに基づいて制御することにより、録画装置１において複数の録画処理が並行して実行されているとき、それが、複数のチューナにより受信された放送番組を同一の記録媒体に記録させる場合であっても、または、同一のチューナにより受信された放送番組を異なるモードで複数の記録メディアに記録または外部出力する場合であっても、ユーザが混乱することなく、それぞれの録画状況を確認することができる。
【０１００】
次に、図８のフローチャートを参照して、本発明を適用した録画装置１が実行する録画処理１について説明する。
【０１０１】
なお、録画処理１においては、表示出力されている放送番組を記録している記録メディアが選択状態であるときのみ、現在録画中または外部出力中の処理に対するユーザの操作入力（例えば、録画または外部出力の停止または一時停止、もしくは、録画モードの変更など）が受け付けられ、録画設定（録画される放送番組のチューナおよびチャンネルの設定や、録画する記録メディアの設定）および録画開始の指令、または、外部出力の設定および外部出力開始の指令は、設定モードに入ることにより、放送番組の表示とは関係なく行われるものとする。
【０１０２】
ステップＳ１において、チューニング制御部４２は、いずれかのチャンネルの放送番組を受信するように、＃１チューナ１３-１乃至＃ｎチューナ１３−ｎのうちの少なくとも１つを、選択状態として認識して制御し、パス切替制御部４４は、受信されたいずれかの放送番組が、ＯＳＤ合成部１７を介して、表示および音声出力制御部１８に供給されて表示出力されるように、パス切替部１５のパスの切り替えを制御する。なお、電源を入れて最初に選択状態とされる（表示される）放送番組のチューニングは、例えば、電源がオフされたときに表示されていたチャンネルとするようにしても、あらかじめ定められたチャンネルとするようにしてもよい。
【０１０３】
ステップＳ２において、メディア選択管理部４３は、＃１記録メディア乃至＃ｍ記録メディアのうちのいずれかの記録メディアを選択状態とする。なお、電源をいれて最初に選択状態となる記録メディアは、例えば、電源がオフされたときに選択状態となっていた記録メディアであっても、あらかじめ定められた記録メディアであってもよい。
【０１０４】
ステップＳ３において、命令取得部４１は、ユーザからの操作入力を受けたか否かを判断する。ステップＳ３において、ユーザからの操作入力を受けていないと判断された場合、ユーザからの操作入力を受けたと判断されるまで、ステップＳ３の処理が繰り返される。
【０１０５】
ステップＳ３において、ユーザからの操作入力を受けたと判断された場合、ステップＳ４において、命令取得部４１は、録画または外部出力設定開始が指令されたか否かを判断する。ステップＳ４において、録画または外部出力設定開始が指令されていないと判断された場合、処理は、後述するステップＳ１４に進む。
【０１０６】
ステップＳ４において、録画または外部出力設定開始が指令されたと判断された場合、録画または外部出力の設定モードに入るので、ステップＳ５において、命令取得部４１は、記録メディアの選択の変更が指令されたか否かを判断する。
【０１０７】
ステップＳ５において、記録メディアの選択の変更が指令されたと判断された場合、ステップＳ６において、命令取得部４１は、記録メディアの選択の変更を指令する信号を、メディア選択管理部４３に供給する。メディア選択管理部４３は、選択状態のメディアを、ユーザの操作入力に基づいて変更する。
【０１０８】
ステップＳ５において、記録メディアの選択の変更が指令されていないと判断された場合、または、ステップＳ６の処理の終了後、ステップＳ７において、命令取得部４１は、チューナの選択の変更が指令されたか否かを判断する。
【０１０９】
ステップＳ７において、チューナの選択の変更が指令されたと判断された場合、ステップＳ８において、命令取得部４１は、チューナの選択の変更を指令する信号をチューニング制御部４２に供給する。チューニング制御部４２は、選択状態のチューナを切り替える。すなわち、次にチューナの選択が変更されるか、または、録画または外部出力設定が終了されるまでにチャンネルの選択の指令が入力された場合、＃１チューナ１３-１乃至＃ｎチューナ１３−ｎのうちの選択状態のチューナの受信チャンネルが変更され、次にチューナの選択が変更されるか、または、録画または外部出力設定が終了されるまでに録画または外部出力が指令された場合、＃１チューナ１３-１乃至＃ｎチューナ１３−ｎのうちの選択状態のチューナにより受信されている放送番組の信号が、録画または外部出力される。しかしながら、パス切替部１５によってパスは変更されないので、表示されている内容は変更されない。
【０１１０】
ステップＳ７において、チューナの選択の変更が指令されていないと判断された場合、または、ステップＳ８の処理の終了後、ステップＳ９において、命令取得部４１は、受信チャンネルの変更が指令されたか否かを判断する。
【０１１１】
ステップＳ９において、受信チャンネルの変更が指令されたと判断された場合、ステップＳ１０において、命令取得部４１は、受信チャンネルの選択の変更を指令する信号をチューニング制御部４２に供給する。チューニング制御部４２は、＃１チューナ１３-１乃至＃ｎチューナ１３−ｎのうちの選択状態のチューナに、受信チャンネルの切り替えを指令する信号を供給する。チューニング制御部４２は、＃１チューナ１３-１乃至＃ｎチューナ１３−ｎのうちの選択中のチューナを制御して、受信チャンネルを切り替えさせる。なお、選択状態のチューナの出力が、現在、ＯＳＤ合成部１７を介して、表示および音声出力制御部１８に供給されるようにパス切替部１５によるパスが設定されていない場合、表示されている内容は変更されない。
【０１１２】
ステップＳ９において、受信チャンネルの変更が指令されていないと判断された場合、または、ステップＳ１０の処理の終了後、ステップＳ１１において、命令取得部４１は、録画または外部出力の開始が指令されたか否かを判断する。
【０１１３】
ステップＳ１１において、録画または外部出力が指令されたと判断された場合、ステップＳ１２において、命令取得部４１は、録画または外部出力の開始を示す信号を、メディア選択管理部４３およびチューニング制御部４２、並びに、外部出力または録画処理操作入力受付管理部４６に供給する。メディア選択管理部４３およびチューニング制御部４２は、それぞれ、現在選択中の記録メディアおよびチューナを示す情報を、パス切替制御部４４に供給する。パス切替制御部４４は、現在選択状態のチューナにより受信される放送信号をエンコードするいずれかのエンコーダからの出力が、選択された記録メディアまたは外部装置へ供給されるように、パス切替部１５を制御する。外部出力または録画処理操作入力受付管理部４６は、供給された信号を、外部出力または録画処理制御部４７に供給するので、外部出力または録画処理制御部４７は、選択状態のチューナによって受信された放送信号の選択状態の記録メディアへの録画を開始するか、または、外部出力を開始ように、＃１記録制御部１６-１乃至＃ｍ記録制御部１６−ｍ、または、外部出力制御部１９の動作を制御する。
【０１１４】
ステップＳ１１において、録画または外部出力が指令されていないと判断された場合、または、ステップＳ１２の処理の終了後、ステップＳ１３において、命令取得部４１は、録画または外部出力設定終了、すなわち、録画または外部出力の設定モードの終了が指令されたか否かを判断する。
【０１１５】
ステップＳ１３において、録画または外部出力設定終了が指令されていないと判断された場合、処理は、ステップＳ５に戻り、それ以降の処理が繰り返される。ステップＳ１３において、録画または外部出力設定終了が指令されたと判断された場合、処理は、後述するステップＳ２４に進む。
【０１１６】
ステップＳ４において、録画または外部出力設定開始が指令されていないと判断された場合、録画または外部出力の設定モードではない、通常の操作入力モードであるので、ステップＳ１４において、命令取得部４１は、チューナの選択の変更が指令されたか否かを判断する。
【０１１７】
ステップＳ１４において、チューナの選択の変更が指令されたと判断された場合、ステップＳ１５において、命令取得部４１は、チューナの選択の変更を指令する信号をチューニング制御部４２およびパス切替制御部４４に供給する。チューニング制御部４２は、選択状態のチューナを切り替える。パス切替制御部４４は、選択状態のチューナにより受信されエンコードされた放送信号が、ＯＳＤ合成部１７を介して表示および音声出力制御部１８に供給されるように、パス切替部１５を制御する。なお、ステップＳ１４において、チューナの選択の変更が指令されたと判断された場合、選択状態のチューナにより受信されエンコードされた放送信号が、すでに、＃１記録制御部１６-１乃至＃ｍ記録制御部１６−ｍまたは外部出力制御部１９のいずれかに供給されていれば、そのパスは変更されず（すなわち、録画または外部出力の実行状態は維持されたまま）、新たに、ＯＳＤ合成部１７を介して表示および音声出力制御部１８に供給されるパスが追加される。
【０１１８】
パス切替部１５は、パス切替制御部４４の制御に基づいて、選択状態のチューナにより受信されエンコードされた放送信号がＯＳＤ合成部１７を介して表示および音声出力制御部１８に供給されるようパスを切り替える、または、パスを追加するので、表示および音声出力制御部１８により制御される表示出力が切り替えられる。
【０１１９】
ステップＳ１４において、チューナの選択の変更が指令されていないと判断された場合、または、ステップＳ１５の処理の終了後、ステップＳ１６において、命令取得部４１は、受信チャンネルの変更が指令されたか否かを判断する。
【０１２０】
ステップＳ１６において、受信チャンネルの変更が指令されたと判断された場合、ステップＳ１７において、命令取得部４１は、受信チャンネルの選択の変更を指令する信号をチューニング制御部４２に供給する。チューニング制御部４２は、＃１チューナ１３-１乃至＃ｎチューナ１３−ｎのうちの選択状態のチューナに、受信チャンネルの切り替えを指令する信号を供給する。チューニング制御部４２は、＃１チューナ１３-１乃至＃ｎチューナ１３−ｎのうちの選択中のチューナを制御して、受信チャンネルを切り替えさせる。受信チャンネルが切り替えられるので、表示および音声出力制御部１８により表示出力が制御される放送番組は切り替えられる。
【０１２１】
ステップＳ１６において、受信チャンネルの変更が指令されていないと判断された場合、または、ステップＳ１７の処理の終了後、ステップＳ１８において、命令取得部４１は、記録メディアの選択の変更が指令されたか否かを判断する。
【０１２２】
ステップＳ１８において、記録メディアの選択の変更が指令されたと判断された場合、ステップＳ１９において、命令取得部４１は、記録メディアの選択の変更を指令する信号を、メディア選択管理部４３に供給する。メディア選択管理部４３は、選択状態の記録メディアを、ユーザの操作入力に基づいて変更する。
【０１２３】
ステップＳ１８において、記録メディアの選択の変更が指令されていないと判断された場合、または、ステップＳ１９の処理の終了後、ステップＳ２０において、命令取得部４１は、録画処理中（または外部出力処理中）のものに対する操作入力を受けたか否かを判断する。
【０１２４】
録画処理中のものに対する操作入力とは、例えば、録画の停止、録画の一時停止、録画途中の録画モードの変更などを指令するための操作入力である。外部出力処理中のものに対する操作入力とは、例えば、外部出力の停止、外部出力の一時停止、外部出力モードの変更などを指令するための操作入力である。
【０１２５】
ステップＳ２０において録画処理中のものに対する操作入力を受けていないと判断された場合、処理は、後述するステップＳ２４に進む。
【０１２６】
ステップＳ２０において録画処理中のものに対する操作入力を受けたと判断された場合、ステップＳ２１において、命令取得部４１は、外部出力または録画処理操作入力受付管理部４６に、録画処理中のものに対する操作入力に対応する信号を供給する。外部出力または録画処理操作入力受付管理部４６は、メディア選択管理部４３およびチューニング制御部４２において管理されている、記録メディアとチューナとの選択状態を確認し、選択状態の記録メディアに記録されている（記録処理中である）、または、外部出力されている放送番組は表示されているか否かを判断する。すなわち、外部出力または録画処理操作入力受付管理部４６は、選択状態の記録メディアに記録されている（記録処理中である）、または、外部出力されている放送番組を受信しているチューナが、選択状態であるか否かを判断する。
【０１２７】
ステップＳ２１において、選択状態の記録メディアに記録されている（記録処理中である）、または、外部出力されている放送番組は表示されていると判断された場合、ステップＳ２２において、外部出力または録画処理操作入力受付管理部４６は、供給された操作入力に対する信号を、外部出力または録画処理制御部４７に供給する。外部出力または録画処理制御部４７は、選択状態となっている記録メディアへの記録を制御する＃１記録制御部１６−１乃至＃ｍ記録制御部１６−ｍのうちのいずれか、もしくは、外部出力制御部１９を制御して、操作入力に対応する処理を実行させる。
【０１２８】
ステップＳ２１において、選択状態の記録メディアに記録されている（記録処理中である）、または、外部出力されている放送番組は表示されていないと判断された場合、ステップＳ２３において、外部出力または録画処理操作入力受付管理部４６は、操作入力を受け付けないとして、供給された操作入力に対する信号を、外部出力または録画処理制御部４７に供給しない。
【０１２９】
ステップＳ１３において、録画または外部出力設定終了が指令されたと判断された場合、ステップＳ２０において録画処理中のものに対する操作入力を受けていないと判断された場合、もしくは、ステップＳ２２またはステップＳ２３の処理の終了後、ステップＳ２４において、命令取得部４１は、電源オフの操作入力を受けるか、または、スリープモードなどに移行されるか否かを判断する。
【０１３０】
ステップＳ２４において、電源オフの操作入力を受けておらず、かつ、スリープモードなどに移行されないと判断された場合、処理は、ステップＳ３に戻り、それ以降の処理が繰り返される。ステップＳ２４において、電源オフの操作入力を受けるか、または、スリープモードなどに移行されると判断された場合、処理が終了される。
【０１３１】
このような処理により、ユーザが視聴している放送番組と、現在選択状態とされている記録メディアに記録されている放送番組とが一致した場合にのみ、録画中または外部出力中の処理に対する操作入力を受け付け、制御（例えば、録画または外部出力モードの変更、録画一時停止、外部出力一時停止、録画停止、外部出力停止処理などの制御）を行うことができるようになされている。
【０１３２】
これにより、ユーザが、勘違いや間違いによって誤操作をおこなうことを防止するができるので、操作性が向上する。
【０１３３】
次に、図９のフローチャートを参照して、本発明を適用した録画装置１が実行する録画処理２について説明する。
【０１３４】
なお、録画処理２においては、表示出力されている放送番組を記録している記録メディアが選択状態であるときのみ、現在録画中または外部出力中の処理に対するユーザの操作入力（例えば、録画または外部出力の停止または一時停止、もしくは、録画モードまたは外部出力モードの変更など）に加えて、録画設定（録画される放送番組のチューナおよびチャンネルの設定や、録画する記録メディアの設定）または外部出力の設定、および、録画または外部出力の開始指令が受け付けられるものとする。
【０１３５】
ステップＳ４１およびステップＳ４２においては、図８のステップＳ１およびステップＳ２と基本的に同様の処理が実行される。
【０１３６】
すなわち、チューニング制御部４２は、いずれかのチャンネルの放送番組を受信するように、＃１チューナ１３-１乃至＃ｎチューナ１３−ｎのうちの少なくとも１つを選択状態として認識して制御し、パス切替制御部４４は、受信されたいずれかの放送番組が、ＯＳＤ合成部１７を介して、表示および音声出力制御部１８に供給されて表示出力されるように、パス切替部１５のパスの切り替えを制御する。なお、電源をいれて最初に表示される放送番組のチューニングは、例えば、電源がオフされたときに表示されていたチャンネルとするようにしても、あらかじめ定められたチャンネルとするようにしてもよい。そして、メディア選択管理部４３は、いずれかの記録メディアを選択状態とする。なお、電源をいれて最初に選択状態となる記録メディアは、例えば、電源がオフされたときに選択状態となっていた記録メディアであっても、あらかじめ定められた記録メディアであってもよい。
【０１３７】
ステップＳ４３において、命令取得部４１は、ユーザからの操作入力を受けたか否かを判断する。ステップＳ４３において、ユーザからの操作入力を受けていないと判断された場合、ユーザからの操作入力を受けたと判断されるまで、ステップＳ４３の処理が繰り返される。
【０１３８】
ステップＳ４３において、ユーザからの操作入力を受けたと判断された場合、ステップＳ４４乃至ステップＳ４９において、図８のステップＳ１４乃至ステップＳ１９と基本的に同様の処理が繰り返される。
【０１３９】
すなわち、チューナの選択の変更が指令されたか否かが判断されて、チューナの選択の変更が指令されたと判断された場合、選択状態のチューナが切り替えられるとともに、表示出力が切り替えられる。そして、受信チャンネルの変更が指令されたか否かが判断され、受信チャンネルの変更が指令されたと判断された場合、＃１チューナ１３-１乃至＃ｎチューナ１３−ｎのうちの選択中のチューナが制御されて、受信チャンネルが切り替えられるので、表示および音声出力制御部１８の制御により表示出力される放送番組も切り替えられる。そして、記録メディアの選択の変更が指令されたか否かが判断され、記録メディアの選択の変更が指令されたと判断された場合、選択状態の記録メディアがユーザの操作入力に基づいて変更される。
【０１４０】
ステップＳ４８において、記録メディアの選択の変更が指令されていないと判断された場合、または、ステップＳ４９の処理の終了後、ステップＳ５０において、命令取得部４１は、録画処理（または外部出力処理）に関する操作入力を受けたか否かを判断する。
【０１４１】
録画処理に関する操作入力とは、例えば、録画設定、録画開始、録画の停止、録画の一時停止、録画途中の録画モードの変更などを指令するための操作入力である。外部出力処理に関する操作入力とは、例えば、外部出力設定、外部出力開始、外部出力の停止、外部出力の一時停止、外部出力モードの変更などを指令するための操作入力である。
【０１４２】
ステップＳ５０において録画処理に関する操作入力を受けていないと判断された場合、処理は、後述するステップＳ５４に進む。
【０１４３】
ステップＳ５０において録画処理（または外部出力処理）に関する操作入力を受けたと判断された場合、ステップＳ５１において、命令取得部４１は、外部出力または録画処理操作入力受付管理部４６に、録画処理（または外部出力処理）に関する操作入力に対応する信号を供給する。外部出力または録画処理操作入力受付管理部４６は、メディア選択管理部４３およびチューニング制御部４２において管理されている、記録メディアとチューナとの選択状態を確認し、選択状態の記録メディアに記録されている（記録処理中である）、または、外部出力されている放送番組は表示されているか否かを判断する。すなわち、外部出力または録画処理操作入力受付管理部４６は、選択状態の記録メディアに記録されている（記録処理中である）、または、外部出力されている放送番組を受信しているチューナが、選択状態であるか否かを判断する。
【０１４４】
ステップＳ５１において、選択状態の記録メディアに記録されている（記録処理中である）、または、外部出力されている放送番組は表示されていると判断された場合、ステップＳ５２において、外部出力または録画処理操作入力受付管理部４６は、供給された操作入力に対する信号を、外部出力または録画処理制御部４７に供給する。外部出力または録画処理制御部４７は、選択状態となっている記録メディアへの記録を制御する＃１記録制御部１６−１乃至＃ｍ記録制御部１６−ｍのうちのいずれか、もしくは、外部出力制御部１９を制御して、操作入力に対応する処理を実行させる。
【０１４５】
ステップＳ５１において、選択状態の記録メディアに記録されている（記録処理中である）、または、外部出力されている放送番組は表示されていないと判断された場合、ステップＳ５３において、外部出力または録画処理操作入力受付管理部４６は、操作入力を受け付けないとして、供給された操作入力に対する信号を、外部出力または録画処理制御部４７に供給しない。
【０１４６】
ステップＳ５０において録画処理（または外部出力処理）に関する操作入力を受けていないと判断された場合、もしくは、ステップＳ５２またはステップＳ５３の処理の終了後、ステップＳ５４において、命令取得部４１は、電源オフの操作入力を受けるか、または、スリープモードなどに移行されるか否かを判断する。
【０１４７】
ステップＳ５４において、電源オフの操作入力を受けておらず、かつ、スリープモードなどに移行されないと判断された場合、処理は、ステップＳ４３に戻り、それ以降の処理が繰り返される。ステップＳ５４において、電源オフの操作入力を受けるか、または、スリープモードなどに移行されると判断された場合、処理が終了される。
【０１４８】
このような処理により、ユーザが視聴している放送番組と、現在選択状態とされている記録メディアに記録されている放送番組とが一致した場合にのみ、録画に関する操作入力を受け付け、録画処理または外部出力処理を制御（例えば、録画開始、外部出力開始、録画または外部出力モードの変更、録画一時停止、外部出力一時停止、録画停止、外部出力停止処理など）を行うことができるようになされている。
【０１４９】
これにより、ユーザが、勘違いや間違いによって誤操作を行うことを防止するができるので、操作性が向上する。
【０１５０】
特に、複数のチューナ（または、有線放送やネットワークを介したコンテンツ配信など、チューナによる放送番組の受信以外の入力があってもよい）、および、複数の記録メディア（例えばHDD、DVD、半導体デバイス、または、USB端子などを介した外部出力）の機能を有する録画装置、または、録画機能を有する情報処理装置において、単純な仕様で、ユーザにとって理解しやすいインターフェースを提供し、録画制御を行うことができる。
【０１５１】
次に、図１０のフローチャートを参照して、録画状況表示処理について説明する。
【０１５２】
ステップＳ８１およびステップＳ８２において、図８のステップＳ１およびステップＳ２と基本的に同様の処理が実行される。
【０１５３】
すなわち、チューニング制御部４２は、いずれかのチャンネルの放送番組を受信するように、＃１チューナ１３-１乃至＃ｎチューナ１３−ｎのうちの少なくとも１つを選択状態として認識して制御し、パス切替制御部４４は、受信されたいずれかの放送番組が、ＯＳＤ合成部１７を介して、表示および音声出力制御部１８に供給されて表示出力されるように、パス切替部１５のパスの切り替えを制御する。なお、電源をいれて最初に表示される放送番組のチューニングは、例えば、電源がオフされたときに表示されていたチャンネルとするようにしても、あらかじめ定められたチャンネルとするようにしてもよい。そして、メディア選択管理部４３は、いずれかの記録メディアを選択状態とする。なお、電源をいれて最初に選択状態となる記録メディアは、例えば、電源がオフされたときに選択状態となっていた記録メディアであっても、あらかじめ定められた記録メディアであってもよい。
【０１５４】
ステップＳ８３において、命令取得部４１は、録画状況の表示が指令されたか否かを判断する。ステップＳ８３において、録画状況の表示が指令されていないと判断された場合、録画状況の表示が指令されたと判断されるまで、ステップＳ４３の処理が繰り返される。
【０１５５】
ステップＳ８３において、録画状況の表示が指令されたと判断された場合、ステップＳ８４において、命令取得部４１は、外部出力または録画処理操作入力受付管理部４６に、録画状況の表示が指令されたことを通知する。外部出力または録画処理操作入力受付管理部４６は、メディア選択管理部４３およびチューニング制御部４２において管理されている、記録メディアとチューナとの選択状態を確認し、選択状態の記録メディアに記録されている、または、外部出力されている放送番組は表示されているか否かを判断する。すなわち、外部出力または録画処理操作入力受付管理部４６は、選択状態の記録メディアに記録されている（記録処理中である）、または、外部出力されている放送番組を受信しているチューナが、選択状態であるか否かを判断する。
【０１５６】
ステップＳ８４において、選択状態の記録メディアに記録されている、または、外部出力されている放送番組は表示されていると判断された場合、ステップＳ８５において、外部出力または録画処理操作入力受付管理部４６は、供給された操作入力に対する信号を、表示および音声出力制御部４５に供給する。表示および音声出力制御部４５は、ＯＳＤ合成部１７を制御して、表示および音声出力制御部１８に表示される映像に重畳させて、録画状況に関する情報を表示させる。
【０１５７】
ステップＳ８４において、選択状態の記録メディアに記録されている、または、外部出力されている放送番組は表示されていないと判断された場合、ステップＳ８６において、外部出力または録画処理操作入力受付管理部４６は、供給された操作入力に対する信号を、外部出力または録画処理制御部４７に供給しないので、録画状況に関する情報は表示されない。
【０１５８】
ステップＳ８７において、命令取得部４１は、チューナの選択の変更が指令されたか否かを判断する。
【０１５９】
ステップＳ８７において、チューナの選択の変更が指令されたと判断された場合、ステップＳ８８において、命令取得部４１は、チューナの選択の変更を指令する信号をチューニング制御部４２およびパス切替制御部４４に供給する。チューニング制御部４２は、選択状態のチューナを切り替える。パス切替制御部４４は、選択状態のチューナにより受信されエンコードされた放送信号が、ＯＳＤ合成部１７を介して表示および音声出力制御部１８に供給されるように、パス切替部１５を制御する。なお、選択状態のチューナにより受信されエンコードされた放送信号が、ステップＳ１４において、チューナの選択の変更が指令されたと判断されたときに、すでに、＃１記録制御部１６-１乃至＃ｍ記録制御部１６−ｍまたは外部出力制御部１９のいずれかに供給されている場合、そのパスは変更されず、新たに、ＯＳＤ合成部１７を介して表示および音声出力制御部１８に供給されるパスが追加される。
【０１６０】
ステップＳ８８の終了後、処理は、ステップＳ８４に戻り、それ以降の処理が繰り返される。すなわち、ステップＳ８８の処理により、選択状態の記録メディアと選択状態のチューナとが一致するように、チューナの選択が変更された場合、ステップＳ８４において、選択状態の記録メディアに記録されている、または、外部出力されている放送番組は表示されていると判断されるので、処理はステップＳ８５に進み、録画状況に関する情報は表示される。それに対して、ステップＳ８８の処理により、選択状態の記録メディアと選択状態のチューナとが一致しないように、チューナの選択が変更された場合、ステップＳ８４において、選択状態の記録メディアに記録されている、または、外部出力されている放送番組は表示されていないと判断されるので、処理はステップＳ８６に進み、録画状況に関する情報は表示されない。
【０１６１】
テップＳ８７において、チューナの選択の変更が指令されていないと判断された場合、ステップＳ８９において、命令取得部４１は、記録メディアの選択の変更が指令されたか否かを判断する。
【０１６２】
ステップＳ８９において、記録メディアの選択の変更が指令されたと判断された場合、ステップＳ９０において、命令取得部４１は、記録メディアの選択の変更を指令する信号を、メディア選択管理部４３に供給する。メディア選択管理部４３は、選択状態のメディアを、ユーザの操作入力に基づいて変更する。
【０１６３】
ステップＳ９０の終了後、処理は、ステップＳ８４に戻り、それ以降の処理が繰り返される。すなわち、ステップＳ９０の処理により、選択状態の記録メディアと選択状態のチューナとが一致するように、記録メディアの選択が変更された場合、ステップＳ８４において、選択状態の記録メディアに記録されている、または、外部出力されている放送番組は表示されていると判断されるので、処理はステップＳ８５に進み、録画状況に関する情報は表示される。それに対して、ステップＳ９０の処理により、選択状態の記録メディアと選択状態のチューナとが一致しないように、記録メディアの選択が変更された場合、ステップＳ８４において、選択状態の記録メディアに記録されている、または、外部出力されている放送番組は表示されていないと判断されるので、処理はステップＳ８６に進み、録画状況に関する情報は表示されない。
【０１６４】
ステップＳ８９において、記録メディアの選択の変更が指令されていないと判断された場合、ステップＳ９１において、命令取得部４１は、録画状況の表示の終了が指令されたか否かを判断する。ステップＳ９１において、録画状況の表示の終了が指令されていないと判断された場合、処理は、ステップＳ８４に戻り、それ以降の処理が繰り返される。ステップＳ９１において、録画状況の表示の終了が指令されたと判断された場合、処理は終了される。
【０１６５】
このような処理により、例えば、同一のチューナにより受信された放送番組が、複数の記録メディアに記録されていたり、記録メディアに記録されるとともに外部出力されている場合であっても、ユーザは混乱することなく、それぞれの録画状況を確認することができるので、ユーザが現在実行中の録画状況を誤って認識してしまうことを防ぐことができる。
【０１６６】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１６７】
この記録媒体は、図１に示すように、コンピュータとは別に、ユーザにプログラムを提供するために配布される、プログラムが記録されている磁気ディスク（フレキシブルディスクを含む）、光ディスク（CD-ROM（Compact Disk-Read Only Memory），DVD（Digital Versatile Disk）を含む）、光磁気ディスク（ＭＤ（Mini-Disk)（商標）を含む）、もしくは半導体メモリなどよりなるリムーバブルメディア２１などにより構成される。
【０１６８】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１６９】
なお、本明細書において、システムとは、複数の装置により構成される装置全体を表すものである。
【０１７０】
なお、本発明の実施の形態は、上述した実施の形態に限定されるものではなく、本発明の要旨を逸脱しない範囲において種々の変更が可能である。
【図面の簡単な説明】
【０１７１】
【図１】本発明を適用した録画装置１の構成を示すブロック図である。
【図２】本発明を適用した録画装置１において実現される機能について説明するための機能ブロック図である。
【図３】表示出力と記録メディアとの選択との組み合わせにおいて、操作入力が受け付けられるか否かを説明するための図である。
【図４】表示出力と記録メディアとの選択との組み合わせにおいて、操作入力が受け付けられるか否かを説明するための図である。
【図５】表示出力と記録メディアとの選択との組み合わせにおいて、操作入力が受け付けられるか否かを説明するための図である。
【図６】表示出力と記録メディアとの選択との組み合わせにおいて、操作入力が受け付けられるか否かを説明するための図である。
【図７】録画状況を表示する表示画面の例について説明するための図である。
【図８】録画処理１について説明するためのフローチャートである。
【図９】録画処理２について説明するためのフローチャートである。
【図１０】録画状況表示処理について説明するためのフローチャートである。
【符号の説明】
【０１７２】
１  録画装置，  １１  操作入力取得部，  １２  制御部，  １３  チューナ，  １４  エンコーダ，  １５  パス切替部，  １６  記録制御部，  １７  ＯＳＤ合成部，  １８  表示および音声出力制御部，  １９  外部出力制御部，  ４１  命令取得部，  ４２  チューニング制御部，  ４３  メディア選択管理部，  ４４  パス切替制御部，  ４５  表示および音声出力制御部，  ４６  外部出力または録画処理操作入力受付管理部，  ４７  外部出力または録画処理制御部，  ７１  表示画面
【図１】
2007073144.tif 000003
【図２】
2007073144.tif 000004
【図３】
2007073144.tif 000005
【図４】
2007073144.tif 000006
【図５】
2007073144.tif 000007
【図６】
2007073144.tif 000008
【図７】
2007073144.tif 000009
【図８】
2007073144.tif 000010
【図９】
2007073144.tif 000011
【図１０】
2007073144.tif 000012